(57)【要約】【課題】  外出時に住居人が質問器の通信エリア内にいる間は扉が開錠状態となっていることを利用して、不審者が住居内に侵入することを防止できる電気錠システム１を提供することである。【解決手段】  扉に設けた電気錠５０を施錠又は解錠する電気錠駆動部２２と、個別の識別情報が予め登録された応答器と、扉の外側に設けられて通信エリア内の応答器との間で非接触通信を行うことによって当該応答器から識別情報を取得する非接触通信部を備えた質問器と、を具備して、質問器の取得した識別情報が予め登録された識別情報に一致すると、電気錠駆動部２２により電気錠５０を一時的に解錠する電気錠システム１において、住戸の玄関における人の外出を検知する外出検知装置１０を具備して、電気錠駆動部２２は外出検知装置１０で人の外出を検知した際には電気錠５０を施錠するものである。【選択図】図１
2007056642.tif 000002
【特許請求の範囲】
【請求項１】
扉に設けた電気錠を施錠又は解錠する電気錠駆動部と、個別の識別情報が予め登録された応答器と、扉の外側に設けられるものであって通信エリア内の応答器との間で非接触通信を行うことによって応答器から識別情報を取得する非接触通信部を備えた質問器と、を具備して、質問器の取得した識別情報が予め登録された識別情報に一致すると、電気錠駆動部により電気錠を一時的に解錠する電気錠システムにおいて、
前記扉から人が外出するのを検知する外出検知装置を具備して、外出検知装置で人の外出を検知すると、電気錠駆動部により電気錠を施錠することを特徴とする電気錠システム。
【請求項２】
前記外出検知装置は、扉の開閉を検出する開閉検出部と、扉の外側にいる人を検出する人感検出部とを具備して、開閉検出部で扉が開いたことを検出した後に人感検出部で人を検出した場合に人の外出として検知処理をするように成していることを特徴とする請求項１に記載の電気錠システム。
【請求項３】
前記質問器は、人感検出部で人を検出した場合にのみ非接触通信を行うように成していることを特徴とする請求項２に記載の電気錠システム。
【請求項４】
前記質問器は、外出検知装置で人の外出を検知して、かつ応答器から識別情報が返信されないと、警告音を鳴動させる警告音鳴動手段を具備することを特徴とする請求項１に記載の電気錠システム。
【請求項５】
前記電気錠駆動部は、外出検知装置で人の外出を検知して、かつ応答器から識別情報が返信されないと、電気錠駆動部により電気錠の解錠状態を保持することを特徴とする請求項１に記載の電気錠システム。
【発明の詳細な説明】
【技術分野】
【０００１】
本願発明は、電気錠システムに関するものである。
【背景技術】
【０００２】
従来より、一般住宅などにおいて特許文献１に示されるような電気錠システムが用いられている。この電気錠システムは、個別の識別情報であるＩＤコード情報が書き込まれた非接触ＩＤタグと、非接触ＩＤタグとの間で電磁誘導によりデータ通信を行うことによって応答器である非接触ＩＤタグからＩＤコード情報を読み取る質問器であるリーダ装置と、玄関扉に設けた電気錠を施錠又は解錠する電気錠駆動部を具備し、リーダ装置の読み取ったＩＤコード情報が予め登録されているＩＤコード情報に一致すると電気錠駆動部により電気錠を施錠又は解錠させる電気錠制御装置とで構成されている。
【０００３】
この電気錠システムでは、外出していた住居人が非接触ＩＤタグを持って建物の入口に近付き、リーダ装置の通信エリア内に入ると、リーダ装置と非接触ＩＤタグとの間で電磁誘導により非接触でデータ通信が行われ、リーダ装置が非接触ＩＤタグに書き込まれたＩＤコード情報を読み取って、電気錠制御装置に出力する。電気錠制御装置では、リーダ装置から入力されたＩＤコード情報と、予め登録されているＩＤコード情報とを照合し、リーダ装置から入力されたＩＤコード情報が登録されていれば、電気錠を一定時間解錠した後、施錠するので、電気錠が解錠されている間に住居人が宅内に入ることができる。
【０００４】
また、この電気錠システムでは、リーダ装置から常時電波を発信して、通信エリア内に入った非接触ＩＤタグからの応答を受信待ちしているため、電力消費が大きいという問題があった。そこで、建物の入口付近に設定した検知エリア内で人の存否を検知する人感検知センサを設け、この人感検知センサが人体を検知していない場合はリーダ装置が電波の発信を停止し、人感検知センサが人体を検知すると、リーダ装置が電波を発信して、非接触ＩＤタグとの間で電磁誘導によりデータ通信を行うようにすることで、リーダ装置の電力消費を低減した電気錠システムが従来より提案されている。
【特許文献１】特開平１１−１６１７４７号公報
【発明の開示】
【発明が解決しようとする課題】
【０００５】
上述した後者の電気錠システムでは、リーダ装置と非接触ＩＤタグとの通信距離が短い場合、使用者はいちいち非接触ＩＤタグを取り出して、リーダ装置の読み取り部に非接触ＩＤタグを近付けねばならず、使い勝手が悪いという問題があった。そこで、リーダ装置の送信電力を大きくし、通信距離を伸ばすことによって、非接触ＩＤタグをリーダ装置の読み取り部に近付けることなく、リーダ装置と非接触ＩＤタグとの間の非接触通信を可能にすることが考えられるが、その場合は以下のような問題が発生する。
【０００６】
すなわち、外出時に非接触ＩＤタグを持った住居人が外に出て、リーダ装置の通信エリア内にいる間は、電気錠は一時的に開錠状態となってしまい、そのため扉の近くに隠れている不審者の住居内への侵入を許すという不具合がある。
【０００７】
本願発明は、上記背景技術に鑑みて発明されたものであり、その目的は、住居人が外出しようとする際に質問器の通信エリア内にいる間は扉が開錠状態となっていることを利用して、不審者が住居内に侵入することを防止できる電気錠システムを提供することである。
【課題を解決するための手段】
【０００８】
上記課題を解決するために、本願発明は、扉に設けた電気錠を施錠又は解錠する電気錠駆動部と、個別の識別情報が予め登録された応答器と、扉の外側に設けられるものであって通信エリア内の応答器との間で非接触通信を行うことによって応答器から識別情報を取得する非接触通信部を備えた質問器と、を具備して、質問器の取得した識別情報が予め登録された識別情報に一致すると、電気錠駆動部により電気錠を一時的に解錠する電気錠システムにおいて、前記扉から人が外出するのを検知する外出検知装置を具備して、外出検知装置で人の外出を検知すると、電気錠駆動部により電気錠を施錠するものである。
【発明の効果】
【０００９】
本願発明の電気錠システムにおいては、住戸の玄関における人の外出を検知する外出検知装置を具備して、外出検知装置で人の外出を検知すると、電気錠駆動部により電気錠を施錠するので、外出時に住居人が質問器の通信エリア内にいる間は扉が開錠状態となっていることを利用して、不審者が住居内に侵入することを防止できるものである。
【発明を実施するための最良の形態】
【００１０】
以下に本発明の実施の形態を図面に基づいて説明する。図１は、本願発明の請求項１乃至５に対応した実施形態の電気錠システム１のシステム構成図を示している。
【００１１】
この実施形態で用いる電気錠システム１は、扉に設けた電気錠５０を施錠又は解錠する電気錠駆動部２２と、個別の識別情報が予め登録された応答器と、扉の外側に設けられるものであって通信エリア内の応答器との間で非接触通信を行うことによって応答器から識別情報を取得する非接触通信部を備えた質問器と、を具備して、質問器の取得した識別情報が予め登録された識別情報に一致すると、電気錠駆動部２２により電気錠５０を一時的に解錠する電気錠システム１において、前記扉から人が外出するのを検知する外出検知装置１０を具備して、外出検知装置１０で人の外出を検知すると、電気錠駆動部２２により電気錠５０を施錠するものである。
【００１２】
また、この実施形態で用いる電気錠システム１は、前記外出検知装置１０が、扉の開閉を検出する開閉検出部１３と、扉の外側にいる人を検出する人感検出部１２とを具備して、開閉検出部１３で扉が開いたことを検出した後に人感検出部１２で人を検出した場合に人の外出として検知処理をするように成しているものである。
【００１３】
また、この実施形態で用いる電気錠システム１は、前記質問器が、人感検出部１２で人を検出した場合にのみ非接触通信を行うように成しているものである。
【００１４】
また、この実施形態で用いる電気錠システム１は、前記質問器が、外出検知装置１０で人の外出を検知して、かつ応答器から識別情報が返信されないと、警告音を鳴動させる警告音鳴動手段を具備するものである。
【００１５】
また、この実施形態で用いる電気錠システム１は、前記電気錠駆動部２２が、外出検知装置１０で人の外出を検知して、かつ応答器から識別情報が返信されないと、電気錠駆動部２２により電気錠５０の解錠状態を保持するものである。
【００１６】
以下、この実施形態の電気錠システム１を、より具体的に説明する。図１に示すように、本実施形態の電気錠システム１は住宅の玄関扉に設置された電気錠５０を施錠又は解錠するためのシステムであり、図１のブロック図に示すように、電気錠駆動部２２を備えた電気錠制御装置２０と、リーダ装置３０（質問器）と、携帯型発信装置４０（応答器）と、外出検知装置１０と、電気錠５０とを主要な構成として備えているものである。
【００１７】
電気錠制御装置２０は、ＣＰＵ２１と、リーダ装置３０および外出検知装置１０との間でデータ通信を行うデータ送受信部２３と、ＣＰＵ２１から入力される制御信号に応じて玄関扉に設けた電気錠５０を施錠又は解錠する電気錠駆動部２２とを備える。
【００１８】
リーダ装置３０は、ＣＰＵ３１と、ＣＰＵ３１から入力された信号を変調、増幅し、コイル３４とコンデンサ３３とで構成されるアンテナ３６を介して電磁誘導により送信するＬＦ帯送信ＩＣ３２と、アンテナ３６を介して特定小電力無線信号を受信する小電力受信モジュール３５（信号受信部）と、電気錠制御装置２０との間でデータ通信を行うデータ送受信部３８と、ブザー部３７とを備えているものである。
【００１９】
携帯型発信装置４０は、ＣＰＵ４１と、コイル４４とコンデンサ４３とで構成されるアンテナ４６を介して電磁誘導により信号を受信し、受信した信号を復調するＬＦ帯受信ＩＣ４２と、アンテナ４６を介して特定小電力無線信号を送信する小電力送信モジュール４５（信号送信部）と、解錠操作を行うための操作ＳＷ４７（解錠操作部）と、内部回路に電源を供給する電池４８とを備える。また携帯型発信装置４０には個別の識別情報が予め設定されており、図示しないメモリに保存されているものである。ここで、ＬＦ帯送信ＩＣ３２とＬＦ帯受信ＩＣ４２とで構成される非接触通信部に比べて、小電力受信モュール３５および小電力送信モジュール４５の通信距離は長くなっており、非接触通信部の通信エリア外から小電力通信が行えるようになっているものである。
【００２０】
外出検知装置１０は、宅外において電気錠５０が設置された玄関の扉から住居の外に出る人を検知するためのものであり、ＣＰＵ１１と、人感検出部１２と、開閉検出部１３と、電気錠制御装置２０に信号を送信するデータ送信部１４とを備える。人感検出部１２は例えば人体から放射される熱線を検知することによって人の存否を検出する焦電センサからなり、宅外において玄関扉の近傍に設定された検知エリア内で人の存否を検出する。なお人感検出部１２の検知エリア内では、上述の非接触通信部（ＬＦ帯送信ＩＣ３２およびＬＦ帯受信ＩＣ４２からなる）により非接触通信が行えるようになっている。また、開閉検出部１３は例えば玄関扉の扉枠に磁気センサを、そして扉が閉まっているときにこの磁気センサの近傍となる扉本体の位置に永久磁石を、各々設置することにより、扉の開閉を検出するものである。
【００２１】
本実施形態の電気錠システム１は以上のような構成を有しており、この電気錠システム１の動作について図２のフローチャートを参照して説明する。まず、住居人が外出する場合におけるこの電気錠システム１の処理フローについては、携帯型発信装置４０を持った住居人が外出検知装置１０の人感検出部１２の検知エリア内に存在しない状態では、リーダ装置３０のＣＰＵ３１はＬＦ帯送信ＩＣ３２から電波を送信させておらず、リーダ装置３０は待機状態となる（Ｓ１）。また、待機状態においては電気錠制御装置２０により電気錠５０が通常は施錠されている。この待機状態において、住居人が外出検知装置１０の人感検出部１２の検知エリア内に入ると、人感検出部１２が住居人を検出し（Ｓ２）、ＣＰＵ１１がその直前に外出検知装置１０の開閉検出部１３にて扉の開閉を検出したかどうか確認し（Ｓ３）、扉の開閉を検出していた場合には外出検知信号を生成して、データ送信部１４より外出検知信号を電気錠制御装置２０に送信する（Ｓ４）。電気錠制御装置２０ではデータ送受信部２３が外出検知装置１０から送信された外出検知信号を受信すると、この外出検知信号をリーダ装置３０へ転送しており、外出検知装置１０の外出検知信号が電気錠制御装置２０を介してリーダ装置３０へ送信される（Ｓ４）。リーダ装置３０では、データ送受信部３８が外出検知装置１０から送信された外出検知信号を受信すると、ＣＰＵ３１が外出検知信号の受信をトリガとして起動信号を生成し、この起動信号をＬＦ帯送信ＩＣ３２が変調、増幅し、アンテナ３６を介してＬＦ帯の電波信号で送信する（Ｓ５）。住居人の持つ携帯型発信装置４０のＬＦ帯受信ＩＣ４２が起動信号を受信すると、ＣＰＵ４１は、メモリから自己のＩＤコードを読み出して、小電力送信モジュール４５から自身のＩＤコード信号を送信させる。このときリーダ装置３０では、小電力受信モジュール３５がこのＩＤコード信号を受信し、受信したＩＤコード信号をＣＰＵ３１がデータ送受信部３８から電気錠制御装置２０へ送信させる（Ｓ６、Ｓ７）。電気錠制御装置２０では、データ送受信部２３がリーダ装置３０から送信されたＩＤコード信号を受信すると、ＣＰＵ２１が、受信したＩＤコード信号と、メモリに予め登録されたＩＤコード信号とを照合して、ＩＤ認証を行う（Ｓ８）。ＩＤ認証の結果、リーダ装置３０から送信されたＩＤコード信号がメモリに登録されたＩＤコード信号と一致すれば（認証ＯＫ）、ＣＰＵ２１は、住居人が扉より外出する際に開錠された電気錠５０を電気錠駆動部２２により施錠させて（Ｓ１０）、待機状態に戻る。
【００２２】
一方、リーダ装置３０の小電力受信モジュール３５が携帯型発信装置４０のＩＤコード信号を受信できない場合や、リーダ装置３０から送信された携帯型発信装置４０のＩＤコード信号がメモリに登録されたＩＤコード信号と一致しない場合（認証ＮＧ）には、携帯型発信装置４０のＩＤコード信号を受信できていないリーダ装置３０のデータ送受信部３８が電気錠制御装置２０にエラー信号を送信したり、認証に失敗した電気錠制御装置２０のＣＰＵ２１がデータ送受信部からリーダ装置３０へエラー信号を送信したりして、外出した住居人が認証可能なＩＤコードを有する携帯型発信装置４０を携帯していないことを、リーダ装置３０及び電気錠制御装置２０の双方で認識するものとなっている。そして、リーダ装置３０のＣＰＵ３１はこのエラー信号に応じてブザー部３７にて警告音を鳴動させることにより（Ｓ１１）、玄関扉の前にいる人物に対して携帯型発信装置４０を携帯していない旨を通知するものである。また、電気錠制御装置２０の電気錠駆動部２２は、住居人が扉より外出する際に開錠された電気錠５０の状態（開錠状態）を、そのまま保持して（Ｓ１２）、待機状態に戻る。
【００２３】
つぎに、住居人が帰宅する場合におけるこの電気錠システム１の処理フローについて説明する。携帯型発信装置４０を持った住居人が外出検知装置１０の人感検出部１２の検知エリア内に存在しない状態では、リーダ装置３０のＣＰＵ３１はＬＦ帯送信ＩＣ３２から電波を送信させておらず、リーダ装置３０は待機状態となる（Ｓ１）。また待機状態においては上述の外出時においてリーダ装置３０の小電力受信モジュール３５が携帯型発信装置４０のＩＤコード信号を受信できない場合や、リーダ装置３０から送信された携帯型発信装置４０のＩＤコード信号がメモリに登録されたＩＤコード信号と一致しない場合を除き、電気錠５０は施錠されているものである。この待機状態において、住居人が外出検知装置１０の人感検出部１２の検知エリア内に入ると、人感検出部１２が住居人を検出し（Ｓ２）、ＣＰＵ１１がその直前に外出検知装置１０の開閉検出部１３にて扉の開閉を検出していないことを確認し（Ｓ３）、入室検知信号を生成して、データ送信部１４より入出検知信号を電気錠制御装置２０に送信する。電気錠制御装置２０ではデータ送受信部２３が外出検知装置１０から送信された入室検知信号を受信すると、この入室検知信号をリーダ装置３０へ転送しており、外出検知装置１０の入室検知信号が電気錠制御装置２０を介してリーダ装置３０へ送信される（Ｓ１３）。リーダ装置３０では、データ送受信部３８が外出検知装置１０から送信された入室検知信号を受信すると、ＣＰＵ３１が入室検知信号の受信をトリガとして起動信号を生成し、この起動信号をＬＦ帯送信ＩＣ３２が変調、増幅し、アンテナ３６を介してＬＦ帯の電波信号で送信する（Ｓ１４）。住居人の持つ携帯型発信装置４０のＬＦ帯受信ＩＣ４２が起動信号を受信すると、ＣＰＵ４１は、メモリから自己のＩＤコードを読み出して、小電力送信モジュール４５から自身のＩＤコード信号を送信させる。このときリーダ装置３０では、小電力受信モジュール３５がこのＩＤコード信号を受信し、受信したＩＤコード信号をＣＰＵ３１がデータ送受信部３８から電気錠制御装置２０へ送信させる（Ｓ１４、Ｓ１５）。電気錠制御装置２０では、データ送受信部２３がリーダ装置３０から送信されたＩＤコード信号を受信すると、ＣＰＵ２１が、受信したＩＤコード信号と、メモリに予め登録されたＩＤコード信号とを照合して、ＩＤ認証を行う（Ｓ１６）。ＩＤ認証の結果、リーダ装置３０から送信されたＩＤコード信号がメモリに登録されたＩＤコード信号と一致すれば（認証ＯＫ）、ＣＰＵ２１は、電気錠駆動部２２により電気錠５０を一定時間の間だけ開錠させた後再び施錠し（Ｓ１９）、待機状態に戻るものである。
【００２４】
一方、リーダ装置３０の小電力モジュールが携帯型発信装置４０のＩＤコード信号を受信できない場合や、リーダ装置３０から送信された携帯型発信装置４０のＩＤコード信号がメモリに登録されたＩＤコード信号と一致しない場合（認証ＮＧ）には、携帯型発信装置４０のＩＤコード信号を受信できていないリーダ装置３０のデータ送受信部３８が電気錠制御装置２０にエラー信号を送信したり、認証に失敗した電気錠制御装置２０のＣＰＵ２１がデータ送受信部２３からリーダ装置３０へエラー信号を送信したりして、帰宅した住居人が認証可能なＩＤコードを有する携帯型発信装置４０を携帯していないことを、リーダ装置３０及び電気錠制御装置２０の双方で認識するものとなっている。そして、電気錠制御装置２０の電気錠駆動部２２は、そのままの状態（通常は施錠状態）を保持して待機状態に戻るものである。
【００２５】
以上の構成を備えることにより、この実施形態で用いる電気錠システム１は、扉から人が外出するのを検知する外出検知装置１０を具備して、外出検知装置１０で人の外出を検知すると、電気錠駆動部２２により電気錠５０を施錠するので、住居人が外出しようとする際に質問器の通信エリア内にいる間は扉が開錠状態となっていることを利用して、不審者が住居内に侵入するのを防止できるものである。
【００２６】
また、この実施形態で用いる電気錠システム１は、前記外出検知装置１０が、扉の開閉を検出する開閉検出部１３と、扉の外側にいる人を検出する人感検出部１２とを具備して、開閉検出部１３で扉が開いたことを検出した後に人感検出部１２で人を検出した場合に人の外出として検知処理をするように成しているので、比較的高価な人感検出センサを扉の内外に設置しなくても住居人の外出または帰宅を検知することができ、外出検知装置１０を安価にすることができるものである。
【００２７】
また、この実施形態で用いる電気錠システム１は、前記質問器が、人感検出部１２で人を検出した場合にのみ非接触通信を行うように成しているので、外出検知装置１０で用いる人感検出部１２を帰宅時の検出用にも用いており、質問器は常時非接触通信を試みることが必要なくなり、質問器の消費電力が低減されるものである。
【００２８】
また、この実施形態で用いる電気錠システム１は、前記質問器が、外出検知装置１０で人の外出を検知して、かつ応答器から識別情報が返信されないと、警告音を鳴動させる警告音鳴動手段を具備するので、住居人が応答器を携帯するのを忘れて外出することを防止できるものである。
【００２９】
この実施形態で用いる電気錠システム１は、前記電気錠駆動部２２が、外出検知装置１０で人の外出を検知して、かつ応答器から識別情報が返信されないと、電気錠駆動部２２により電気錠５０の解錠状態を保持するので、住居人が応答器を携帯するのを忘れて外出した際に住居に入れなくなることを防ぐものである。
【図面の簡単な説明】
【００３０】
【図１】本願発明の実施形態に係る電気錠システムのシステム構成図。
【図２】図１の電気錠システムの動作に関するフローチャート図。
【符号の説明】
【００３１】
１    電気錠システム
１０    外出検知装置
１１    ＣＰＵ
１２    人感検出部
１３    開閉検出部
１４    データ送信部
２０    電気錠制御装置
２１    ＣＰＵ
２２    電気錠駆動部
２３    データ送受信部
３０    リーダ装置
３１    ＣＰＵ
３２    ＬＦ帯送信ＩＣ
３３    コンデンサ
３４    コイル
３５    小電力受信モジュール
３６    アンテナ
３７    ブザー部
３８    データ送受信部
４０    携帯型発信装置
４１    ＣＰＵ
４２    ＬＦ帯受信ＩＣ
４３    コンデンサ
４４    コイル
４５    小電力送信モジュール
４６    アンテナ
４７    操作ＳＷ
４８    電池
５０    電気錠
【図１】
2007056642.tif 000003
【図２】
2007056642.tif 000004